(57)【要約】      （修正有）【課題】共用部分に入る扉に設置される認証装置に対して、それぞれ直接ＩＣカードのデータを取り込ませる手間を軽減する認証システムを提供する。【解決手段】居住者は、居住端末２０を用いてクラウドサーバ３０に居住記憶情報をアップロードし、クラウドサーバ３０は、アップロードされた居住記憶情報をサーバ記憶情報として記憶する。管理者は管理端末４０を用いてクラウドサーバ３０に記憶されたサーバ記憶情報を取得し、共用認証装置５０に送信することにより、共用認証装置５０に共用記憶情報として記憶させる。共用認証装置５０は、共用記憶情報と、読み取った認証情報とが一致した場合に、解錠を行う構成とした。【選択図】図１
2019157391.tif 000002
【特許請求の範囲】
【請求項１】
複数の居住者のそれぞれが戸別に占有する複数の居住スペース及び前記複数の居住者が共用する共用スペースを有する集合住宅に設置される認証システム（１）であって、
前記居住スペースへの立入りが許可された者が所有する一つ以上の認証情報を各戸ごとの戸別記憶情報として記憶するように構成された戸別記憶部（１２）と、
前記複数の居住スペースと前記共用スペースとを区切る戸別扉において、当該戸別扉それぞれの前記共用スペース側に設置され、認証情報を記憶する記憶媒体から、前記認証情報を読み取るように構成された複数の戸別読取部（１３、１３２、Ｓ２２０〜Ｓ２３０）と、
前記戸別読取部により読み取られた前記認証情報である戸別読取情報が前記戸別記憶部に記憶された前記戸別記憶情報のいずれかと一致するか否か判定するように構成された戸別認証部（Ｓ２４０）と、
前記戸別認証部により、前記戸別読取情報が前記戸別記憶情報のいずれかと一致すると判定した場合に、前記戸別扉を解錠するように構成された戸別解錠部（１４、Ｓ２６０）と、
前記複数の居住スペース及び前記共用スペース以外のスペースである外部スペースと前記共用スペースとを区切る共用扉において、当該共用扉の前記外部スペース側に設置され、前記記憶媒体から前記認証情報を読み取るように構成された共用読取部（５３、Ｓ５２０〜Ｓ５３０）と、
前記共用スペースへの立入りが許可された者が所有する一つ以上の前記認証情報を共用記憶情報として記憶するように構成された共用記憶部（５２）と、
前記共用読取部により読み取られた前記認証情報である共用読取情報が前記共用記憶部に記憶された前記共用記憶情報のいずれかと一致するか否か判定するように構成された共用認証部（Ｓ５４０）と、
前記共用認証部により、前記共用読取情報が前記共用記憶情報のいずれかと一致すると判定した場合に、前記共用扉を解錠するように構成された共用解錠部（５４、Ｓ５６０）と、
前記戸別記憶部に記憶された前記戸別記憶情報に従って前記共用記憶部に記憶された前記共用記憶情報を更新するように構成された共用更新部（２０、３０、４０）と、
を備える、認証システム。
【請求項２】
請求項１に記載の認証システムであって、
前記戸別記憶部に記憶された前記戸別記憶情報を、外部からの入力操作に従って更新するように構成された戸別更新部を備え、
前記戸別更新部は、
外部から前記認証情報を入力するように構成された戸別登録部（１３１、Ｓ１７０〜Ｓ１８０）と、
前記戸別登録部により読み取られた前記認証情報を前記戸別記憶情報として前記戸別記憶部に記憶するように構成された戸別更新実行部（Ｓ１９０）と、を備える認証システム。
【請求項３】
請求項２に記載の認証システムであって、
前記共用更新部は、
前記戸別更新部により前記戸別記憶情報が更新された場合に、前記共用記憶部に記憶された前記共用記憶情報を更新するように構成された、認証システム。
【請求項４】
請求項１から請求項３までのいずれか１項に記載の認証システムであって、
前記共用更新部は、
前記戸別記憶部に記憶された１つ以上の前記戸別記憶情報のうち、少なくとも１つの前
記戸別記憶情報を指定するように構成された指定部（２３１、Ｓ３３０、４３１、Ｓ４３０）と、
前記指定部により指定された前記戸別記憶情報である指定記憶情報に従って前記共用記憶部に記憶された前記共用記憶情報を更新するように構成された共用更新実行部（２３２、Ｓ３５０、４３２、Ｓ４５０）と、を備える認証システム。
【請求項５】
請求項４に記載の認証システムであって、
前記共用更新実行部は、
前記指定部により前記戸別記憶情報が指定された場合に、前記共用記憶部に記憶された前記共用記憶情報を更新するように構成された、認証システム。
【請求項６】
請求項１から請求項５までのいずれか１項に記載の認証システムであって、
前記戸別記憶部と前記共用記憶部とが接続されたネットワーク上のクラウドサーバに記憶領域であるサーバ記憶領域（３２）と、
前記戸別記憶部に記憶された前記戸別記憶情報のうち、少なくとも１つの前記戸別記憶情報に従って、前記戸別記憶部と前記共用記憶部とが接続されたネットワーク上に記憶領域を備えるクラウドサーバの記憶領域に記憶されたサーバ記憶情報を更新するように構成されたアップロード部（２３、２４、Ｓ３５０）と、
前記クラウドサーバの記憶領域に記憶された前記サーバ記憶情報のうち、少なくとも１つの前記サーバ記憶情報に従って前記共用記憶部に記憶された前記共用記憶情報を更新するように構成された共用編集部（４３、４４、Ｓ４５０）と、
を備える、認証システム。
【請求項７】
請求項６に記載の認証システムであって、
前記アップロード部は、
外部から少なくとも１つの前記戸別記憶情報を指定するように構成されたアップ指定部（２３１、Ｓ３３０）と、
前記アップ指定部により指定された少なくとも１つの前記戸別記憶情報に従って前記サーバ記憶情報を更新するように構成されたアップ実行部（２３２、２４、Ｓ３５０）と、
を備える認証システム。
【請求項８】
請求項６又は請求項７に記載の認証システムであって、
前記共用編集部は、外部から少なくとも１つの前記サーバ記憶情報を指定するように構成されたダウン指定部（４３１、Ｓ４３０）と、
前記ダウン指定部により指定された少なくとも１つの前記サーバ記憶情報に従って前記共用記憶情報を更新するように構成されたダウン実行部（４３２、４４、Ｓ４５０）と、
を備える認証システム。
【請求項９】
請求項６から請求項８までのいずれか１項に記載の認証システムであって、
前記居住スペースへの立入りが許可された者が所有する通信端末（８０）を更に備え、
前記通信端末は、
前記クラウドサーバから、前記サーバ記憶情報を取得するように構成された通信取得部と、
前記通信取得部により取得した前記サーバ記憶情報を通信記憶情報として記憶するように構成された通信記憶部と、
前記通信記憶部に記憶された前記通信記憶情報を前記戸別読取部及び前記共用読取部に読み取らせるように構成された送信部と、
を備える、認証システム。
【請求項１０】
請求項６から請求項９までのいずれか１項に記載の認証システムであって、
インターネットを介して前記クラウドサーバに記憶された前記少なくとも１つのサーバ記憶情報を編集するように構成された外部機器を更に備える、認証システム。
【請求項１１】
請求項１０に記載の認証システムであって、
前記外部機器は、前記クラウドサーバを介して、
前記アップロード部による前記サーバ記憶情報の更新及び前記共用編集部による前記共用記憶情報の更新のうち少なくとも一方を行わせるように構成された、認証システム。
【発明の詳細な説明】
【技術分野】
【０００１】
本開示は、認証システムに関する。
【背景技術】
【０００２】
ＩＣカードの認証に用いる認証装置を利用して認証に成功すると認証装置が設置された扉の解錠を行う認証システムが知られている。
特許文献１に記載の認証装置は、ＩＣカードなどに記憶された認証情報を読み取り、読み取った認証情報があらかじめ記憶された記憶情報と一致する場合に、その認証装置が設置された扉の施錠装置の解錠を行う。ここで、当該認証装置は、あらかじめ認証を許可するＩＣカードのデータを取り込み、取り込んだＩＣカードのデータを記憶情報として記憶する。
【０００３】
これにより、データを取り込ませたＩＣカードの所有者は当該ＩＣカードを用いることにより、当該認証装置が設置された扉の施錠装置を解錠することができる。
【先行技術文献】
【特許文献】
【０００４】
【特許文献１】特開２００４−５４３０５号公報
【発明の概要】
【発明が解決しようとする課題】
【０００５】
ところで上記システムを、複数の居住者のそれぞれが占有する居住スペース及び複数の居住者が共用する共用スペースを有するマンションなどの集合住宅に適用した場合、各居住スペースに立ち入るための戸別扉及び共用スペースに立ち入るための共用扉のいずれにおいても認証による解錠を行うことが考えられる。
【０００６】
戸別扉と、共用扉との両方に上述した認証装置が設置された場合、１つのＩＣカードを用いて両方の扉の解錠を行うには、両方の認証装置に対してそれぞれ直接ＩＣカードのデータを取り込ませる必要があった。
【０００７】
本開示は、共用部分に入る扉に設置される認証装置に対してそれぞれ直接ＩＣカードのデータを取り込ませる手間を軽減する技術を提供する。
【課題を解決するための手段】
【０００８】
本開示の一態様は、複数の居住者のそれぞれが戸別に占有する複数の居住スペース及び複数の居住者が共用する共用スペースを有する集合住宅に設置される認証システム（１）であって、戸別記憶部（１２）と、複数の戸別読取部（１３、１３２、Ｓ２２０〜Ｓ２３０）と、戸別認証部（Ｓ２４０）と、戸別解錠部（１４、Ｓ２６０）と、共用読取部（５３、Ｓ５２０〜Ｓ５３０）と、共用記憶部（５２）と、共用認証部（Ｓ５４０）と、共用解錠部（５４、Ｓ５６０）と、共用更新部（２０、３０、４０）と、を備える。戸別記憶部は、居住スペースへの立入りが許可された者が所有する一つ以上の認証情報を各戸ごとの戸別記憶情報として記憶するように構成される。戸別読取部は、複数の居住スペースと共用スペースとを区切る戸別扉において、当該戸別扉それぞれの共用スペース側に設置され、認証情報を記憶する記憶媒体から、認証情報を読み取るように構成される。戸別認証部は、戸別読取部により読み取られた認証情報である戸別読取情報が戸別記憶部に記憶された戸別記憶情報のいずれかと一致するか否か判定するように構成される。戸別解錠部は、戸別認証部により、戸別読取情報が戸別記憶情報のいずれかと一致すると判定した場合
に、戸別扉を解錠するように構成される。共用読取部は、複数の居住スペース及び共用スペース以外のスペースである外部スペースと共用スペースとを区切る共用扉において、当該共用扉の外部スペース側に設置され、記憶媒体から認証情報を読み取るように構成される。共用記憶部は、共用スペースへの立入りが許可された者が所有する一つ以上の認証情報を共用記憶情報として記憶するように構成される。共用認証部は、共用読取部により読み取られた認証情報である共用読取情報が共用記憶部に記憶された共用記憶情報のいずれかと一致するか否か判定するように構成される。共用解錠部は、共用認証部により、共用読取情報が共用記憶情報のいずれかと一致すると判定した場合に、共用扉を解錠するように構成される。共用更新部は、戸別記憶部に記憶された戸別記憶情報に従って共用記憶部に記憶された共用記憶情報を更新するように構成される。
【０００９】
このような構成によれば、居住者が操作する戸別認証装置に記憶された戸別記憶情報に従って共用認証装置に記憶される共用記憶情報が更新されるため、共用認証装置に対して直接ＩＣカードのデータを取り込ませる手間を軽減することができる。
【００１０】
なお、この欄及び特許請求の範囲に記載した括弧内の符号は、一つの態様として後述する実施形態に記載の具体的手段との対応関係を示すものであって、本開示の技術的範囲を限定するものではない。
【図面の簡単な説明】
【００１１】
【図１】認証システムの構成を表した図である。
【図２】戸別認証装置の構成を表した図である。
【図３】居住端末の構成を表した図である。
【図４】クラウドサーバの構成を表した図である。
【図５】管理端末の構成を表した図である。
【図６】共用認証装置の構成を表した図である。
【図７】戸別登録処理を表したフローチャートである。
【図８】戸別認証処理を表したフローチャートである。
【図９】アップロード処理を表したフローチャートである。
【図１０】管理編集処理を表したフローチャートである。
【図１１】共用認証処理を表したフローチャートである。
【図１２】戸別認証装置１０からクラウドサーバ３０にサーバ記憶情報が記憶されるまでの流れを表したシーケンス図である。
【図１３】クラウドサーバ３０から共用認証装置５０に共用記憶情報が記憶されるまでの流れを表したシーケンス図である。
【図１４】変形例における認証システムの構成を表した図である。
【発明を実施するための形態】
【００１２】
以下、図面を参照しながら、本開示の実施形態を説明する。
［１．構成］
図１に示す認証システム１は、戸別認証装置１０、居住端末２０、クラウドサーバ３０、管理端末４０、共用認証装置５０、ユーザカード６０及びマスタカード７０を備える。
【００１３】
戸別認証装置１０は、マンションなどの集合住宅において、戸別扉のそれぞれに設置され、戸別認証装置１０が設置された戸別扉の鍵の解錠を行う装置である。ここでいう戸別扉とは、集合住宅における居住スペースと共用スペースとを区切る扉のことをいう。また、居住スペースとは、集合住宅の居住者のそれぞれが占有するスペースをいい、共用スペースとは、集合住宅の居住者が共用するスペースをいう。
【００１４】
居住端末２０は、各戸の居住者によって操作される、いわゆるタブレット端末である。
居住端末２０は、戸別認証装置１０及びクラウドサーバ３０のそれぞれと通信するように構成される。
【００１５】
クラウドサーバ３０は、サーバ記憶情報として記憶する記憶領域であるサーバ記憶領域を備えるサーバである。
管理端末４０は、各集合住宅の管理者によって操作される、いわゆるタブレット端末である。管理端末４０は、クラウドサーバ３０及び共用認証装置５０のそれぞれと通信するように構成される。
【００１６】
共用認証装置５０は、マンションなどの集合住宅において共用扉に設置され、共用認証装置５０が設置された共用扉の鍵の解錠を行う装置である。ここで、共用扉とは、外部スペースと共用スペースとを区切る扉をいう。また、外部スペースとは、居住スペース及び共用スペース以外のスペースをいう。
＜ユーザカード＞
ユーザカード６０は、集合住宅の居住者など、居住スペース及び共用スペースへの立ち入りが許可される者が所有するカードである。
【００１７】
ユーザカード６０は、非接触式のＩＣカードであり、あらかじめ決められた認証情報であるユーザ認証情報を記憶する。ここで認証情報は、戸別認証装置１０及び共用認証装置５０に読み取らせることにより、認証を行わせることができる情報をいう。
【００１８】
ユーザカード６０は、戸別認証装置１０又は共用認証装置５０からＮＦＣ通信により信号を受けると、受けた信号から抽出した電力を利用して動作し、ＮＦＣ通信により要求信号を受信すると、当該要求信号を送信した戸別認証装置１０又は共用認証装置５０にユーザ認証情報を送信する。
【００１９】
ユーザカード６０は、例えば、Ｆｅｌｉｃａカード、Ｍｉｆａｒｅカード及びＩ−ＣＯＤＥカードである。ユーザカード６０の種類はこれらに限られず、非接触式のＩＣカードであれば他のものであってもよい。なお、Ｆｅｌｉｃａ、Ｍｉｆａｒｅ及びＩ−ＣＯＤＥはいずれも登録商標である。
【００２０】
なお、ユーザカード６０が、認証情報を記憶する記憶媒体に相当する。
＜マスタカード＞
マスタカード７０は、ユーザカード６０に記憶されたユーザ認証情報を戸別認証装置１０に登録することを許可された者が所有するカードである。
【００２１】
マスタカード７０は、非接触式ＩＣカードであり、あらかじめ決められた情報であるマスタ情報を記憶する。ここでマスタ情報は、戸別認証装置１０に読み取らせることにより、戸別認証装置１０の管理者であることを戸別認証装置１０に認識させるための情報である。
【００２２】
マスタカード７０はＮＦＣ通信により信号を受けると受けた信号から抽出した電力を利用して動作する。
マスタカード７０は、戸別認証装置１０からＮＦＣ通信により要求信号を受信すると、当該戸別認証装置１０にマスタ情報を送信する。
【００２３】
マスタカード７０は、ユーザカード６０と同様の通信方式により通信を行う。
すなわち、マスタカード７０も、例えばＦｅｌｉｃａカード又はＭｉｆａｒｅカードである。マスタカード７０についてもユーザカード６０と同様、Ｆｅｌｉｃａカード及びＭｉｆａｒｅカードに限られず、他の種々の非接触式ＩＣカードであってもよい。
＜戸別認証装置＞
図２に示す戸別認証装置１０は、ユーザカード６０に記憶されたユーザ認証情報を読み取り、認証が成立した場合に、戸別認証装置１０が設置された戸別扉の解錠を行う装置である。
【００２４】
戸別認証装置１０は、戸別制御部１１と、戸別記憶部１２と、戸別読取部１３と、戸別アクチュエータ１４と、戸別入力部１５と、戸別スピーカ１６と、戸別要求部１７と、戸別通信モジュール１８と、戸別オフタイマ１９と、を備える。これら各部は、戸別認証バスライン１００を介して互いにデータの送受ができるように接続されている。
【００２５】
戸別記憶部１２には、あらかじめ用意された記憶情報が記憶される。戸別記憶部１２は、戸別領域１２１及びマスタ領域１２２を有する。
戸別領域１２１に記憶される記憶情報を戸別記憶情報、マスタ領域１２２に記憶される記憶情報をマスタ記憶情報ともいう。戸別記憶情報は、後述する戸別登録処理により、記憶される。なお、戸別領域１２１に記憶される戸別記憶情報は、複数であってもよい。また、マスタ記憶情報は戸別認証装置１０と対応するマスタカード７０が記憶するマスタ情報と同一の情報であり、製造時などにマスタ領域１２２にあらかじめ記憶される。
【００２６】
さらに、戸別記憶部１２には、他にも戸別スピーカ１６に出力させる音又は音声を表すデータが記憶されていてもよい。
戸別読取部１３は、戸別登録リーダ１３１及び戸別認証リーダ１３２を備える。
【００２７】
戸別登録リーダ１３１は、ＩＣカードをかざすことにより、かざされたＩＣカードからＮＦＣ通信によりあらかじめ決められた情報を読み取るためのインタフェースである。ここで、戸別登録リーダ１３１により読み取られるあらかじめ決められた情報には、ユーザカード６０に記憶されるユーザ認証情報と、マスタカード７０に記憶されたマスタ情報が含まれる。
【００２８】
ここで、戸別登録リーダ１３１は、戸別扉の居住スペース側に直接設置される。しかし、戸別登録リーダ１３１の設置される位置は、戸別扉に直接設置されるものに限定されるものではなく、居住スペース内に設置されればよい。
【００２９】
戸別認証リーダ１３２は、ＩＣカードをかざすことにより、かざされたＩＣカードからＮＦＣ通信によりあらかじめ決められた情報を読み取るためのインタフェースである。ここで、戸別認証リーダ１３２が読み取るあらかじめ決められた情報には、ユーザカード６０に記憶されるユーザ認証情報が含まれる。
【００３０】
ここで、戸別認証リーダ１３２は、戸別扉の共用スペース側に直接設置される。しかし、戸別認証リーダ１３２の設置される位置は、戸別扉に直接設置されるものに限定されるものではなく、共用スペース内の例えば、戸別扉が設置されている壁に設置されていてもよい。
【００３１】
戸別アクチュエータ１４は、戸別扉の施錠機構を動作させ、当該施錠機構の解錠動作を行うアクチュエータである。なお、戸別アクチュエータ１４は、当該施錠機構の施錠動作を行う機能を有していてもよい。
【００３２】
戸別入力部１５は、各種入力操作を受け付けるための入力用デバイスを有する。戸別入力部１５が有する入力用デバイスには、登録ボタン１５１及び戸別認証ボタン１５２が含まれる。入力用デバイスに含まれるボタンは、例えば使用者により押下されることによりあらかじめ決められた信号を戸別制御部１１に出力する。
【００３３】
登録ボタン１５１は、登録開始信号を戸別制御部１１に出力することにより、後述する戸別登録処理を開始するためのボタンである。
登録ボタン１５１は、戸別の居住スペース側から操作可能に設置される。登録ボタン１５１は、例えば、戸別扉の居住スペース側に設置される戸別登録リーダ１３１に搭載されてもよい。
【００３４】
戸別認証ボタン１５２は、戸別認証信号を戸別制御部１１に出力することにより、後述する戸別認証処理を開始するためのボタンである。
戸別認証ボタン１５２は、戸別扉の外側、すなわち戸別扉の共用スペース側から操作可能に設置される。戸別認証ボタン１５２は、例えば、戸別扉の共用スペース側に設置される戸別認証リーダ１３２に搭載されてもよい。
【００３５】
戸別スピーカ１６は、音及び音声を出力するためのスピーカである。
戸別要求部１７は、ＮＦＣ通信により要求信号を送信するためのインタフェースである。
戸別通信モジュール１８は、Ｂｌｕｅｔｏｏｔｈ（登録商標）などの近距離無線通信の規格に従って居住端末２０と通信を行うための通信モジュールである。
【００３６】
戸別オフタイマ１９は、戸別認証装置１０の電源と接続され、電源がオンの間に、あらかじめ決められた入力が設定時間以上無かった場合に、戸別認証装置１０の電源をオフにする処理を行うタイマである。ここでいう、あらかじめ決められた入力には、戸別読取部１３による認証情報を含む。ここで、戸別オフタイマ１９の設定時間は例えば、５秒間である。ただし、戸別オフタイマ１９は、省略されてもよい。すなわち戸別認証装置１０は常時電源がオンであってもよい。
【００３７】
戸別制御部１１は、共用制御ＣＰＵ５１１及び、ＲＯＭ、ＲＡＭ、ＮＶＲＡＭ、フラッシュメモリなどの半導体メモリである戸別制御メモリ１１２を含むマイクロコンピュータである。なお、戸別認証装置１０を構成するマイクロコンピュータの数は１つでも複数でもよい。
【００３８】
戸別制御部１１は、非遷移的実体的記録媒体に格納されたプログラムを実行することにより各種機能を実現する。戸別制御メモリ１１２が、プログラムを格納した非遷移的実体的記録媒体に該当する。戸別認証装置１０が有する各種機能は、基本的には、戸別制御部１１が戸別制御メモリ１１２に記憶されているプログラムを実行することにより実現される。なお、戸別制御部１１により実現される各種機能は、プログラムの実行によって実現することに限るものではなく、その一部又は全部について、一つあるいは複数のハードウェアを用いて実現してもよい。また、戸別制御部１１は戸別制御メモリ１１２に記憶されたプログラムにより、少なくとも後述する戸別登録処理及び戸別認証処理を実行する。
＜居住端末＞
図３に示す居住端末２０は、いわゆるタブレット端末である。居住端末２０は、戸別認証装置１０から送信された戸別記憶情報を受信し、居住記憶情報として記憶する。そして、居住端末２０は記憶した居住記憶情報のうち、使用者により選択された居住記憶情報をクラウドサーバ３０にアップロード可能に構成される。
【００３９】
居住端末２０は、居住制御部２１と、居住記憶部２２と、居住入力部２３と、居住通信部２４と、を備える。これら各部は、居住バスライン２００を介して互いにデータの送受が可能に接続されている。
【００４０】
居住記憶部２２には、居住記憶情報が記憶される。なお、居住記憶部２２に記憶される
居住記憶情報は、複数であってもよい。
居住入力部２３は、表示を行う居住表示画面を備え、居住表示画面と重畳して設置されたタッチパネルである。居住入力部２３は、使用者によりタッチ入力が行われることにより操作が入力可能に構成される。
【００４１】
居住表示画面による表示には、居住リスト２３１及びアップロードボタン２３２が表示可能となるように構成される。
ここで、居住リスト２３１は、居住記憶部２２に記憶された居住記憶情報の一覧である。居住リスト２３１はタッチ入力により居住記憶情報を選択できるように表示される。
【００４２】
アップロードボタン２３２は、使用者によるタッチ入力が可能なボタンである。アップロードボタン２３２は、後述するアップロード処理で用いられるボタンである。
居住通信部２４は、戸別認証装置１０及びクラウドサーバ３０と通信を行う。
【００４３】
居住通信部２４は、居住ローカルモジュール２４１及び居住ネットモジュール２４２を備える。
居住ローカルモジュール２４１は、戸別通信モジュール１８と同様の通信方式で、戸別通信モジュール１８との通信を行う通信モジュールである。
【００４４】
居住ネットモジュール２４２は、クラウドサーバ３０とインターネットを介して通信可能である通信モジュールである。
居住制御部２１は、居住端末ＣＰＵ２１１及び、ＲＯＭ、ＲＡＭ、ＮＶＲＡＭ、フラッシュメモリなどの半導体メモリである居住端末メモリ２１２を含むマイクロコンピュータである。なお、居住端末２０を構成するマイクロコンピュータの数は１つでも複数でもよい。
【００４５】
居住制御部２１は、非遷移的実体的記録媒体に格納されたプログラムを実行することにより各種機能を実現する。居住端末メモリ２１２が、プログラムを格納した非遷移的実体的記録媒体に該当する。居住端末２０が有する各種機能は、基本的には、居住制御部２１が居住端末メモリ２１２に記憶されているプログラムを実行することにより実現される。なお、居住制御部２１により実現される各種機能は、プログラムの実行によって実現することに限るものではなく、その一部又は全部について、一つあるいは複数のハードウェアを用いて実現してもよい。また、居住制御部２１は居住端末メモリ２１２に記憶されたプログラムにより、少なくとも後述するアップロード処理を実行する。
【００４６】
居住端末２０を構成するこれらの要素を実現する手法はソフトウェアに限るものではなく、その一部又は全部の要素について、一つあるいは複数のハードウェアを用いて実現してもよい。例えば、上記機能がハードウェアである電子回路によって実現される場合、その電子回路は多数の論理回路を含むデジタル回路、又はアナログ回路、あるいはこれらの組合せによって実現してもよい。
＜クラウドサーバ＞
クラウドサーバ３０は、図４に示すように、サーバ通信モジュール３１及びサーバ記憶部３２を備える。
【００４７】
サーバ通信モジュール３１は、インターネットを通じて居住端末２０及び管理端末４０と通信を行う通信モジュールである。すなわち、居住端末２０及び管理端末４０が属するネットワークに接続される。サーバ通信モジュール３１は、居住端末２０が居住ネットモジュール２４２を用いて送信した居住記憶部２２に含まれる居住記憶情報を受信可能に構成される。
【００４８】
サーバ記憶部３２は、サーバ通信モジュール３１を用いて受信した居住記憶情報を、送信される居住端末２０ごとに対応づけてサーバ記憶情報として記憶するサーバ記憶領域を備える。
＜管理端末＞
図５に示す管理端末４０は、いわゆるタブレット端末である。管理端末４０は、クラウドサーバ３０の３２に記憶されているサーバ記憶情報を取得し、管理記憶情報として記憶する。そして、管理端末４０は記憶した管理記憶情報のうち、管理者により選択された管理記憶情報を共用認証装置５０に送信するように構成される。
【００４９】
管理端末４０は、管理制御部４１と、管理記憶部４２と、管理入力部４３と、管理通信部４４と、を備える。これら各部は、管理バスライン４００を介して互いにデータの送受が可能に接続されている。
【００５０】
管理記憶部４２には、管理記憶情報が記憶される。なお、管理記憶部４２に記憶される管理記憶情報は、複数であってもよい。
管理入力部４３は、表示を行う管理表示画面を備え、管理表示画面と重畳して設置されたタッチパネルである。居住入力部２３は、使用者によりタッチ入力が行われることにより操作が入力可能に構成される。
【００５１】
管理表示画面による表示には、管理リスト４３１及び管理編集ボタン４３２が含まれる。
管理リスト４３１は、管理記憶部４２に記憶された管理記憶情報の一覧である。管理リスト４３１はタッチ入力により管理記憶情報を選択できるように表示される。
【００５２】
管理編集ボタン４３２は使用者によるタッチ入力が可能なボタンである。管理編集ボタン４３２は、後述する管理編集処理で用いられるボタンである。
管理通信部４４は、クラウドサーバ３０及び共用認証装置５０と通信を行う。
【００５３】
管理通信部４４は、管理ローカルモジュール４４１及び管理ネットモジュール４４２を備える。
管理ローカルモジュール４４１は、共用認証装置５０にとの通信を行う通信モジュールである。管理ローカルモジュール４４１は、管理記憶部４２に記憶された管理記憶情報のうち、使用者により選択された管理記憶情報を送信するように構成される。
【００５４】
管理ネットモジュール４４２は、クラウドサーバ３０とインターネットを介して通信を行う通信モジュールである。
管理制御部４１は、管理端末ＣＰＵ４１１及び、ＲＯＭ、ＲＡＭ、ＮＶＲＡＭ、フラッシュメモリなどの半導体メモリである管理端末メモリ４１２を含むマイクロコンピュータである。なお、管理端末４０を構成するマイクロコンピュータの数は１つでも複数でもよい。
【００５５】
管理制御部４１は、非遷移的実体的記録媒体に格納されたプログラムを実行することにより各種機能を実現する。管理端末メモリ４１２が、プログラムを格納した非遷移的実体的記録媒体に該当する。管理端末４０が有する各種機能は、基本的には、管理制御部４１が管理端末メモリ４１２に記憶されているプログラムを実行することにより実現される。なお、管理制御部４１により実現される各種機能は、プログラムの実行によって実現することに限るものではなく、その一部又は全部について、一つあるいは複数のハードウェアを用いて実現してもよい。また、管理制御部４１は管理端末メモリ４１２に記憶されたプログラムにより、少なくとも後述する管理編集処理を実行する。
【００５６】
また、管理端末ＣＰＵ４１１は、管理ネットモジュール４４２を用いてサーバ通信モジュール３１から近距離通信によりサーバ記憶情報を受信すると、受信したサーバ記憶情報を管理記憶情報として、管理記憶部４２に記憶する。
【００５７】
管理端末４０を構成するこれらの要素を実現する手法はソフトウェアに限るものではなく、その一部又は全部の要素について、一つあるいは複数のハードウェアを用いて実現してもよい。例えば、上記機能がハードウェアである電子回路によって実現される場合、その電子回路は多数の論理回路を含むデジタル回路、又はアナログ回路、あるいはこれらの組合せによって実現してもよい。
＜共用認証装置＞
図６に示す共用認証装置５０は、認証情報を読み取り、認証が成立した場合に、共用認証装置５０が設置された扉の解錠を行う装置である。ここでいう認証情報には、少なくともユーザ認証情報が含まれる。
【００５８】
共用認証装置５０は、共用制御部５１と、共用記憶部５２と、共用読取部５３と、共用アクチュエータ５４と、共用入力部５５と、共用スピーカ５６と、共用要求部５７と、共用通信モジュール５８と、共用オフタイマ５９と、を備える。これら各部は、共用バスライン５００を介して互いにデータの送受ができるように接続されている。
【００５９】
共用記憶部５２には、共用記憶情報が記憶される。さらに、共用記憶部５２には、他にも共用スピーカ５６に出力させる音又は音声を表すデータが記憶されていてもよい。
共用読取部５３は、共用認証リーダ５３１を備える。
【００６０】
共用認証リーダ５３１は、ＩＣカードをかざすことにより、かざされたＩＣカードからＮＦＣ通信によりあらかじめ決められた情報を読み取るためのインタフェースである。ここで、共用認証リーダ５３１が読み取るあらかじめ決められた情報には、ユーザカード６０に記憶されるユーザ認証情報が含まれる。
【００６１】
ここで、共用認証リーダ５３１は、共用扉の共用スペースと反対側、すなわち外部スペース側に共用扉に直接設置される。しかし、共用認証リーダ５３１の設置される位置は、共用扉の外部スペース側に直接設置されるものに限定されるものではなく、外部スペース内の例えば、共用扉が設置されている壁に設置されていてもよい。
【００６２】
共用アクチュエータ５４は、共用扉の施錠機構を動作させ、当該施錠機構の解錠動作を行うアクチュエータである。なお、共用アクチュエータ５４は、当該施錠機構の施錠動作を行う機能を有していてもよい。
【００６３】
共用入力部５５は、各種入力操作を受け付けるための入力用デバイスを有する。共用入力部５５が有する入力用デバイスには、共用認証ボタン５５１が含まれる。
共用認証ボタン５５１は、共用認証信号を共用制御部５１に出力することにより、後述する共用認証処理を開始するためのボタンである。
【００６４】
共用認証ボタン５５１は、扉の外側から操作可能に設置される。共用認証ボタン５５１は、例えば、扉の外側に設置される共用認証リーダ５３１に搭載されてもよい。
共用スピーカ５６は、音及び音声を出力するためのスピーカである。
【００６５】
共用要求部５７は、ＮＦＣ通信により要求信号を送信するためのインタフェースである。
共用通信モジュール５８は、管理ローカルモジュール４４１と同様の通信方式で、管理ローカルモジュール４４１との通信を行う通信モジュールである。共用通信モジュール５
８は管理ローカルモジュール４４１から管理記憶情報を受信する。
【００６６】
共用オフタイマ５９は、共用認証装置５０の電源と接続され、電源がオンの間に、あらかじめ決められた入力が設定時間以上無かった場合に、共用認証装置５０の電源をオフにする処理を行うタイマである。ここでいう、あらかじめ決められた入力とは、共用読取部５３による認証情報及び共用認証ボタン５５１からの入力である共用認証信号を含む。ここで、共用オフタイマ５９の設定時間は例えば、５秒間である。
【００６７】
共用制御部５１は、共用制御ＣＰＵ５１１及び、ＲＯＭ、ＲＡＭ、ＮＶＲＡＭ、フラッシュメモリなどの半導体メモリである共用制御メモリ５１２を含むマイクロコンピュータである。なお、共用認証装置５０を構成するマイクロコンピュータの数は１つでも複数でもよい。
【００６８】
共用制御部５１は、非遷移的実体的記録媒体に格納されたプログラムを実行することにより各種機能を実現する。共用制御メモリ５１２が、プログラムを格納した非遷移的実体的記録媒体に該当する。共用認証装置５０が有する各種機能は、基本的には、共用制御部５１が共用制御メモリ５１２に記憶されているプログラムを実行することにより実現される。なお、共用制御部５１により実現される各種機能は、プログラムの実行によって実現することに限るものではなく、その一部又は全部について、一つあるいは複数のハードウェアを用いて実現してもよい。また、共用制御部５１は共用制御メモリ５１２に記憶されたプログラムにより、少なくとも後述する共用認証処理を実行する。
【００６９】
共用制御部５１は、共用通信モジュール５８により受信した管理記憶情報を、共用記憶情報として共用記憶部５２に記憶する。
［２．処理］
＜戸別登録処理＞
次に、戸別制御ＣＰＵ１１１が実行する戸別登録処理について図７のフローチャートを用いて説明する。戸別登録処理は、戸別制御部１１に登録開始信号が入力された際に開始される。
【００７０】
Ｓ１１０で、戸別制御ＣＰＵ１１１は、マスタ情報を要求する報知を、戸別スピーカ１６を用いて行う。マスタ情報を要求する報知は、例えば、マスタ情報を要求することを表したあらかじめ決められた音又は音声を発するものであってもよい。
【００７１】
Ｓ１２０で、戸別制御ＣＰＵ１１１は、戸別要求部１７を用いて要求信号を送信し、要求信号に応じて送信されるマスタ情報を、戸別登録リーダ１３１を用いて読み取る。
Ｓ１３０で、戸別制御ＣＰＵ１１１は、Ｓ１２０でのマスタ情報の読取において戸別登録リーダ１３１により読取可能な情報が読み取られたか否かを判定する。
【００７２】
戸別制御ＣＰＵ１１１は、戸別登録リーダ１３１により読取可能な情報が読み取られていないとＳ１３０で判定した場合、Ｓ１２０に処理を移行し、以降の処理を行う。
すなわち、戸別制御ＣＰＵ１１１は戸別登録リーダ１３１により読取可能な情報が読み取られるまでの間、読取を継続する。
【００７３】
一方、戸別制御ＣＰＵ１１１は、戸別登録リーダ１３１により読取可能な情報が読み取られたとＳ１３０で判定した場合、Ｓ１４０に処理を移行する。
Ｓ１４０で、戸別制御ＣＰＵ１１１は、戸別登録リーダ１３１により読み取られた情報を読取情報として、読取情報がマスタ領域１２２に記憶されたマスタ記憶情報とが一致するか否かを判定する。
【００７４】
戸別制御ＣＰＵ１１１は、Ｓ１４０で、読取情報とマスタ記憶情報とが不一致であると判定した場合には、Ｓ１５０に処理を移行する。
Ｓ１５０で、戸別制御ＣＰＵ１１１は、読取情報が不正であるとして、後述するＳ１６０からＳ１９０までの処理により認証情報を登録することを拒否し、処理を終了する。
【００７５】
この際、戸別制御ＣＰＵ１１１は、戸別スピーカ１６を用いて、読取情報が不正である旨の報知を行う。なお、読取情報が不正である旨の報知は、戸別スピーカ１６を用いた音又は音声による報知以外の報知方法により行われてもよい。また、報知自体省略してもよい。
【００７６】
一方、戸別制御ＣＰＵ１１１は、Ｓ１４０で、読取情報とマスタ記憶情報とが一致すると判定した場合、Ｓ１６０に処理を移行する。
Ｓ１６０で、戸別制御ＣＰＵ１１１は、戸別記憶部１２に記憶させる認証情報を要求する旨の報知を、戸別スピーカ１６を用いて行う。記憶する認証情報を要求する旨の報知は、例えば、認証情報が記憶されているＩＣカードを戸別登録リーダ１３１にかざすように使用者に要求する音又は音声を発することによるものであってもよい。
【００７７】
Ｓ１７０で、戸別制御ＣＰＵ１１１は、戸別要求部１７を用いて要求信号を送信し、要求信号に応じて送信される認証情報を、戸別登録リーダ１３１を用いて読み取る。
Ｓ１８０で、戸別制御ＣＰＵ１１１は、Ｓ１７０での認証情報の読取において戸別登録リーダ１３１により読取可能な情報が読み取られたか否かを判定する。
【００７８】
戸別制御ＣＰＵ１１１は、戸別登録リーダ１３１により読取可能な情報が読み取られていないとＳ１８０で判定した場合、Ｓ１７０に処理を移行し、以降の処理を行う。
すなわち、戸別制御ＣＰＵ１１１は戸別登録リーダ１３１により読取可能な情報が読み取られるまでの間、読取を継続する。
【００７９】
一方、戸別制御ＣＰＵ１１１は、戸別登録リーダ１３１により読取可能な情報が読み取られたとＳ１８０で判定した場合、Ｓ１９０に処理を移行する。
Ｓ１９０で、戸別制御ＣＰＵ１１１は、読み取った情報を戸別記憶情報として、戸別領域１２１に記憶し、戸別登録処理を終了する。
【００８０】
なお、戸別登録処理が戸別更新部としての処理に相当し、Ｓ１７０からＳ１８０までが、戸別登録部としての処理に相当し、Ｓ１９０が、戸別更新実行部としての処理に相当する。
＜戸別認証処理＞
次に、戸別制御ＣＰＵ１１１が実行する戸別認証処理について図８のフローチャートを用いて説明する。戸別認証処理は、戸別制御部１１に戸別認証信号が入力された際に開始される。
【００８１】
Ｓ２１０で、戸別制御ＣＰＵ１１１は、認証情報を要求する旨の報知を、戸別スピーカ１６を用いて行う。認証情報を要求する旨の報知は、例えば、戸別記憶情報と同一の認証情報を記憶するＩＣカードを戸別認証リーダ１３２にかざすように使用者に要求する音又は音声を発することによるものであってもよい。
【００８２】
Ｓ２２０で、戸別制御ＣＰＵ１１１は、戸別要求部１７を用いて要求信号を送信し、要求信号に応じて送信される認証情報を、戸別認証リーダ１３２を用いて読み取る。
Ｓ２３０で、戸別制御ＣＰＵ１１１は、Ｓ２２０での認証情報の読取において戸別認証リーダ１３２により読取可能な情報が読み取られたか否かを判定する。
【００８３】
戸別制御ＣＰＵ１１１は、戸別認証リーダ１３２により読取可能な情報が読み取られていないとＳ２３０で判定した場合、Ｓ２２０に処理を移行し、以降の処理を行う。
すなわち、戸別制御ＣＰＵ１１１は戸別認証リーダ１３２により読取可能な情報が読み取られるまでの間、読取を継続する。
【００８４】
一方、戸別制御ＣＰＵ１１１は、戸別認証リーダ１３２により読取可能な情報が読み取られたとＳ２３０で判定した場合、Ｓ２４０に処理を移行する。
Ｓ２４０で、戸別制御ＣＰＵ１１１は、読み取った情報を戸別読取情報として、戸別読取情報が戸別領域１２１に記憶された戸別記憶情報とが一致するか否かを判定する。
【００８５】
戸別制御ＣＰＵ１１１は、Ｓ２４０で、戸別読取情報が、戸別領域１２１に含まれる戸別記憶情報のいずれとも一致しないと判定した場合には、Ｓ２５０に処理を移行する。
Ｓ２５０で、戸別制御ＣＰＵ１１１は戸別認証装置１０が備えられた戸別扉の解錠を拒否する。また、戸別制御ＣＰＵ１１１は、戸別スピーカ１６を用いて戸別読取情報が戸別領域１２１に含まれる戸別記憶情報のいずれとも一致しない旨の報知を行い、処理を終了する。なお、戸別読取情報が戸別記憶情報のいずれとも一致しない旨の報知は、戸別スピーカ１６を用いた音又は音声による報知以外の報知方法により行われてもよい。また、報知自体省略してもよい。
【００８６】
一方、戸別制御ＣＰＵ１１１は、Ｓ２４０で、戸別読取情報が戸別領域１２１に含まれる戸別記憶情報のいずれかと一致すると判定した場合、Ｓ２６０に処理を移行する。
Ｓ２６０で、戸別制御ＣＰＵ１１１は、戸別アクチュエータ１４を用いて戸別認証装置１０が備えられた戸別扉の解錠を行う解錠制御を行い、処理を終了する。
【００８７】
なお、Ｓ２２０からＳ２３０までが戸別読取部としての処理に相当し、Ｓ２４０が戸別認証部としての処理に相当し、Ｓ２６０が戸別解錠部としての処理に相当する。
＜アップロード処理＞
次に居住端末ＣＰＵ２１１が行うアップロード処理について、図９のフローチャートを用いて説明する。アップロード処理は、居住端末２０の電源がオンになった際に開始される。また、アップロード処理が開始されるタイミングは居住端末２０の電源がオンになった際に限られず、例えばアップロード処理を行うためのあらかじめ決められたソフトウェアが実行された際に開始されてもよい。
【００８８】
Ｓ３１０で、居住端末ＣＰＵ２１１は、居住ローカルモジュール２４１を用いて戸別認証装置１０から戸別記憶情報を取得する。戸別記憶情報の取得は、戸別認証装置１０に記憶された戸別記憶情報を全て取得してもよく、戸別認証装置１０に記憶された戸別記憶情報のうち、居住記憶部２２に居住記憶情報として記憶されていないもののみを取得してもよい。
【００８９】
Ｓ３２０で、居住端末ＣＰＵ２１１は、Ｓ３１０で取得した戸別記憶情報を居住記憶情報として居住記憶部２２に記憶する。
Ｓ３３０で、居住端末ＣＰＵ２１１は、居住入力部２３の居住表示画面に、居住リスト２３１及びアップロードボタン２３２を表示する。そして、使用者に対して、クラウドサーバ３０に送信する居住記憶情報を居住リスト２３１から選択し、アップロードボタン２３２を押すように促す表示を行う。
【００９０】
Ｓ３４０で、居住端末ＣＰＵ２１１は、アップロードボタン２３２が押されたか否かを判定する。
居住端末ＣＰＵ２１１は、Ｓ３４０でアップロードボタン２３２が押されていないと判定した場合、Ｓ３４０での処理を継続する。
【００９１】
居住端末ＣＰＵ２１１は、Ｓ３４０でアップロードボタン２３２が押されたと判定した場合、Ｓ３５０に処理を移行する。
Ｓ３５０で、居住端末ＣＰＵ２１１は、Ｓ３３０で居住記憶情報を選択するように促す表示を行ったことにより、居住リスト２３１中の使用者により選択された居住記憶情報を、居住選択情報として、居住ネットモジュール２４２を用いて、当該居住選択情報をクラウドサーバ３０に送信し処理を終了する。
【００９２】
Ｓ３３０が、指定部及びアップ指定部としての処理に相当し、Ｓ３５０が、共用更新実行部、アップロード部及びアップ実行部としての処理に相当する。また、アップロード処理において、指定された居住記憶情報が指定記憶情報に相当する。
＜管理編集処理＞
次に管理端末ＣＰＵ４１１が行う管理編集処理について、図１０のフローチャートを用いて説明する。管理編集処理は、管理端末４０の電源がオンになった際に開始される。また、管理編集処理が開始されるタイミングは管理端末４０の電源がオンになった際に限られず、例えば管理編集処理を行うためのあらかじめ決められたソフトウェアが実行された際に開始されてもよい。
【００９３】
Ｓ４１０で、管理端末ＣＰＵ４１１は、管理ネットモジュール４４２を用いてクラウドサーバ３０からサーバ記憶情報を取得する。サーバ記憶情報の取得は、クラウドサーバ３０に記憶されたサーバ記憶情報を全て取得してもよく、クラウドサーバ３０に記憶されたサーバ記憶情報のうち、管理記憶部４２に管理記憶情報として記憶されていないもののみを取得してもよい。
【００９４】
Ｓ４２０で、管理端末ＣＰＵ４１１は、Ｓ４１０で取得したサーバ記憶情報を管理記憶情報として管理記憶部４２に記憶する。
Ｓ４３０で、管理端末ＣＰＵ４１１は、管理入力部４３の管理表示画面に、管理リスト４３１及び管理編集ボタン４３２を表示する。そして、使用者に対して、共用認証装置５０に送信する管理記憶情報をから選択し、管理編集ボタン４３２を押すように促す表示を行う。
【００９５】
Ｓ４４０で、管理端末ＣＰＵ４１１は、管理編集ボタン４３２が押されたか否かを判定する。
管理端末ＣＰＵ４１１は、Ｓ４４０で管理編集ボタン４３２が押されたと判定した場合、Ｓ４５０に処理を移行する。
【００９６】
Ｓ４５０で、管理端末ＣＰＵ４１１は、Ｓ４３０で居住記憶情報を選択するように促す表示を行ったことにより、管理リスト４３１中の使用者により選択された居住記憶情報を、管理選択情報として、管理ローカルモジュール４４１を用いて、当該管理選択情報を共用認証装置５０に送信し処理を終了する。
【００９７】
Ｓ４３０が指定部及びダウン指定部としての処理に相当し、Ｓ４５０が共用更新実行部、共用編集部及びダウン実行部としての処理に相当する。
また、管理編集処理において、指定されたサーバ記憶情報が指定記憶情報に相当する。
＜共用認証処理＞
次に、共用制御ＣＰＵ５１１が実行する共用認証処理について図１１のフローチャートを用いて説明する。共用認証処理は、共用制御部５１に共用認証信号が入力された際に開始する。
【００９８】
Ｓ５１０で、共用制御ＣＰＵ５１１は、認証情報を要求する旨の報知を、共用スピーカ
５６を用いて行う。認証情報を要求する旨の報知は、例えば、共用記憶情報と同一の認証情報を記憶するＩＣカードを共用認証リーダ５３１にかざすように使用者に要求する音又は音声を発することによるものであってもよい。
【００９９】
Ｓ５２０で、共用制御ＣＰＵ５１１は、共用要求部５７を用いて要求信号を送信し、要求信号に応じて送信される認証情報を、共用認証リーダ５３１を用いて読み取る。
Ｓ５３０で、共用制御ＣＰＵ５１１は、Ｓ５２０での認証情報の読取において共用認証リーダ５３１により読取可能な情報が読み取られたか否かを判定する。
【０１００】
共用制御ＣＰＵ５１１は、共用認証リーダ５３１により読取可能な情報が読み取られていないとＳ５３０で判定した場合、Ｓ５２０に処理を移行し、以降の処理を行う。
すなわち、共用制御ＣＰＵ５１１は共用認証リーダ５３１により読取可能な情報が読み取られるまでの間、読取を継続する。
【０１０１】
一方、共用制御ＣＰＵ５１１は、共用認証リーダ５３１により読取可能な情報が読み取られたとＳ５３０で判定した場合、Ｓ５４０に処理を移行する。
Ｓ５４０で、共用制御ＣＰＵ５１１は、読み取られた情報を共用読取情報として、読取情報が共用記憶部５２に記憶された共用記憶情報とが一致するか否かを判定する。
【０１０２】
共用制御ＣＰＵ５１１は、Ｓ５４０で、共用読取情報が、共用記憶部５２に含まれる共用記憶情報のいずれとも一致しないと判定した場合には、Ｓ５５０に処理を移行する。
Ｓ５５０で、共用制御ＣＰＵ５１１は共用認証装置５０が備えられた共用扉の解錠を拒否する。また、共用制御ＣＰＵ５１１は、共用スピーカ５６を用いて共用読取情報が共用記憶部５２に含まれる共用記憶情報のいずれとも一致しない旨の報知を行い、処理を終了する。なお、共用読取情報が共用記憶情報のいずれとも一致しない旨の報知は、共用スピーカ５６を用いた音又は音声による報知以外の報知方法により行われてもよい。また、報知自体省略してもよい。
【０１０３】
一方、共用制御ＣＰＵ５１１は、Ｓ５４０で、共用読取情報が共用記憶部５２に含まれる共用記憶情報のいずれかと一致すると判定した場合、Ｓ５６０に処理を移行する。
Ｓ５６０で、共用制御ＣＰＵ５１１は、共用アクチュエータ５４を用いて共用認証装置５０が備えられた共用扉の解錠を行う解錠制御を行い、処理を終了する。
【０１０４】
なお、Ｓ５２０からＳ５３０までが共用読取部としての処理に相当し、Ｓ５４０が共用認証部としての処理に相当し、Ｓ５６０が共用解錠部としての処理に相当する。
［３．動作例］
戸別認証装置１０への戸別記憶情報の記憶から、共用認証装置５０における共用記憶情報の記憶までの流れを図１２および図１３を用いて説明する。
【０１０５】
図１２に示すように、まず、戸別認証装置１０において、登録ボタン１５１が押下されることにより、戸別登録処理が開始される。
戸別登録処理により、戸別認証装置１０は戸別登録リーダ１３１により読み取られた認証情報を戸別記憶情報として、戸別領域１２１に記憶する。
【０１０６】
次に、居住端末２０がアップロード処理を実行すると、居住端末２０は、まず、戸別認証装置１０から戸別記憶情報を取得する。そして、取得した戸別記憶情報を居住記憶情報として記憶する。
【０１０７】
そして、居住端末２０は、クラウドサーバ３０にアップロードする居住記憶情報を使用者に選択するように促す。
居住端末２０は選択された居住記憶情報を居住選択情報として、クラウドサーバ３０にアップロードする。
【０１０８】
クラウドサーバ３０は居住端末２０から受信した居住選択情報をサーバ記憶情報としてサーバ記憶部３２に記憶する。
次に図１３に移り、管理端末４０は、管理編集処理を実行する。
【０１０９】
これにより、管理端末４０はクラウドサーバ３０に記憶されたサーバ記憶情報を取得する。取得したサーバ記憶情報は、管理端末４０において、管理記憶情報として記憶される。
そして、管理端末４０は、共用認証装置５０に送信する管理記憶情報を使用者に選択するように促す。
【０１１０】
居住端末２０は選択された管理記憶情報を管理選択情報として、共用認証装置５０に送信する。
共用認証装置５０は、管理端末４０から受信した管理選択情報を共用記憶情報として記憶する。
【０１１１】
以上、図１２及び図１３に示したように、戸別記憶情報に従って、共用記憶情報は記憶される。なお、戸別認証装置１０への戸別記憶情報の記憶から、共用認証装置５０における共用記憶情報の記憶までの処理が、共用更新部としての処理に相当する。
【０１１２】
［４．効果］
以上詳述した実施形態によれば、以下の効果を奏する。
（１）上記実施形態によれば、居住者が操作する戸別認証装置に記憶された戸別記憶情報に従って共用認証装置に記憶される共用記憶情報が更新されるため、共用認証装置に対して直接ＩＣカードのデータを取り込ませる手間を軽減することができる。
【０１１３】
（２）従来、共用スペースに設置される共用認証装置については、共用記憶情報が、居住者以外の者により書き換えられると、当該書き換えられた記憶情報と同一の認証情報が記憶されたＩＣカードを所有する者であれば居住者以外の者でも共用部分に入ることができるという問題が生じる。そのため、共用認証装置に記憶された共用記憶情報の書き換えは、集合住宅の管理者など、共用認証装置の管理者の立ち会いのもと、行われていた。
【０１１４】
上記実施形態によれば、居住者は、居住端末２０を用いてクラウドサーバ３０に居住記憶情報をアップロードする。そして、クラウドサーバ３０は、アップロードされた居住記憶情報をサーバ記憶情報として記憶する。管理者は管理端末４０を用いてクラウドサーバ３０に記憶されたサーバ記憶情報を取得し、共用認証装置５０に送信することにより、共用認証装置５０に共用記憶情報として記憶させる。居住端末２０は居住者が使用するものであるため、居住者以外のものが使用しないためアップロードされた居住記憶情報は、居住者の所有しているＩＣカードに記憶された認証情報であることがわかる。そのため、居住者以外の所有しているＩＣカードがアップロードされることはないため、共用認証装置５０に共用記憶情報を記憶させるために、上述したような立ち会いをする必要がない。よって、上述した実施形態によれば、立ち会いの手間を軽減することができる。
【０１１５】
［５．他の実施形態］
以上、本開示の実施形態について説明したが、本開示は上述の実施形態に限定されることなく、種々変形して実施することができる。
【０１１６】
（１）上記実施形態では、ＩＣカードであるユーザカード６０を用いて戸別認証装置１
０及び共用認証装置５０に対して認証を行ったが、戸別認証装置１０及び共用認証装置５０に対して認証を行わせるものはＩＣカードに限定されるものではない。例えば、図１４に示すようにＩＣカードの代わりに、ＩＣカードに記憶された認証情報を通信記憶情報として記憶し、ＮＦＣ通信により通信記憶情報を認証情報として送信することができる、カードエミュレーション機能を有するスマートフォンなどの通信端末が用いられてもよい。この場合、ＮＦＣ通信により認証情報として通信記憶情報を送信する構成が送信部に相当する。
【０１１７】
（２）また、ユーザカード６０の代わりに通信端末８０を用いた場合、通信端末８０は、クラウドサーバ３０と通信を行うことによりクラウドサーバ３０に記憶されたサーバ記憶情報を取得し、通信記憶情報として記憶するように構成されてもよい。また、サーバ記憶情報の取得は、居住者のみが取得及び使用できる通信端末８０に記憶されたアプリケーションにより取得できるようにしてもよい。さらに、各居住者の通信端末８０と各居住者が使用する居住端末２０とを対応付け、各居住者の居住端末２０からアップロードされ、クラウドサーバ３０に記憶されたサーバ記憶情報を通信端末８０により取得する構成であってもよい。
【０１１８】
このような場合にクラウドサーバ３０からサーバ記憶情報を取得する構成が通信取得部に相当し、通信記憶情報を記憶する構成が通信記憶部に相当する。
（３）また、上述した実施形態では、アップロード処理において、居住端末２０は、戸別認証装置１０に記憶された戸別記憶情報を、居住ローカルモジュール２４１を用いて取得するが、居住端末２０による居住ローカルモジュール２４１を用いた処理はこれに限られるものではない。例えば、居住ローカルモジュール２４１を用いて、戸別認証装置１０に記憶された戸別記憶情報と、居住端末２０に記憶された居住記憶情報とを同期する処理を行ってもよく、また、戸別認証装置１０に記憶された戸別記憶情報を削除するように構成されてもよい。例えば、管理端末４０により選択された管理記憶情報を共用認証装置５０の共用記憶情報として記憶するように構成され、管理端末４０において何も選択していない場合には、共用記憶情報を削除するという構成であってもよい。
【０１１９】
同様に、管理端末４０は、管理端末４０に記憶された管理記憶情報と共用認証装置５０に記憶された共用記憶情報とを同期するように構成されてもよく、共用認証装置５０に記憶された共用記憶情報を、削除するように構成されてもよい。
【０１２０】
（４）また、上記実施形態では、アップロードボタン２３２が押されたときに、アップロードを実行するが、アップロードの実行のタイミングはこのようなタイミングに限定されるものではない。例えば、居住リスト２３１から居住記憶情報が使用者により選択された場合にアップロードを実行する構成であってもよい。また、あらかじめ決められた時刻に、アップロードを実行する構成であってもよい。
【０１２１】
同様に、上記実施形態では、管理編集ボタン４３２が押されたときに、共用認証装置５０への管理記憶情報を送信するが、共用認証装置５０への管理記憶情報を送信するタイミングはこのようなタイミングに限定されるものではない。例えば、管理リスト４３１から管理記憶情報が使用者により選択された場合に管理記憶情報の送信を実行するものであってもよい。
【０１２２】
（５）上記実施形態では、居住端末２０において、選択された戸別記憶情報が居住選択情報としてクラウドサーバ３０に送信される。また、管理端末４０において選択された管理記憶情報が、管理選択情報として共用認証装置５０に送信される。しかし、居住端末２０による戸別記憶情報の選択及び管理端末４０による管理記憶情報の選択は、省略してもよい。例えば、戸別認証装置１０が戸別読取情報を新たに戸別記憶情報として記憶した場
合に、戸別記憶情報を全てクラウドサーバ３０に送信されてもよく、クラウドサーバ３０が新たにサーバ記憶情報を記憶した場合に、サーバ記憶情報を全て共用認証装置５０に送信されるような構成であってもよい。
【０１２３】
（６）上記実施形態では、居住端末２０及び管理端末４０は、タブレット端末であるとしたが、居住端末２０及び管理端末４０は、タブレット端末に限られず、スマートフォンなどの種々の情報端末であってもよい。また、居住端末２０及び管理端末４０は、戸別認証装置１０とクラウドサーバ３０との通信及びクラウドサーバ３０と共用認証装置５０との通信を中継する、いわゆるゲートウェイであってもよい。
【０１２４】
（７）上記実施形態では、戸別記憶情報が、戸別認証装置１０から居住端末２０、クラウドサーバ３０、管理端末４０を経由して、共用認証装置５０へと送信されるが、戸別記憶情報が送信される経路は、このような経路に限定されるものではない。すなわち、戸別認証装置１０から直接共用認証装置５０へと送信される構成であってもよい。この場合、読取情報が戸別認証装置１０に記憶された際、すなわち、戸別認証装置１０の戸別記憶情報が更新された際に、共用認証装置５０へ直接送信される構成であってもよい。
【０１２５】
（８）クラウドサーバ３０にインターネットを介して接続可能であるあらかじめ決められた外部機器により制御できるように構成されてもよい。また、クラウドサーバ３０は、サーバ通信モジュール３１を用いて、居住端末２０及び管理端末４０を制御できるように構成されてもよい。例えば、管理者が所有する外部機器からインターネットを介して居住端末２０が行うアップロード処理や、管理端末４０が行う戸別編集処理を実行するように構成してもよい。
【０１２６】
このような構成によれば、例えば管理者が所有する外部機器を用いて戸別認証装置１０に記憶された戸別記憶情報を共用認証装置５０に共用記憶情報として記憶させることができる。
【０１２７】
また、管理者が外部機器から、戸別認証装置１０に記憶された戸別記憶情報及び共用認証装置５０に記憶された共用記憶情報を編集及び削除するように構成されてもよい。
（９）上記実施形態では、戸別制御ＣＰＵ１１１が行う戸別認証処理において、ユーザカード６０に記憶されたユーザ認証情報を読み取らせ、戸別読取情報と戸別記憶情報とが一致する場合に戸別扉の解錠を行う。しかし、戸別認証装置１０が戸別扉の解錠を行う場合は、このような場合に限定されるものではない。例えば、マスタカード７０に記憶されたマスタ情報を読み取らせ、マスタ記憶情報と一致する場合に解錠を行ってもよい。
【０１２８】
このような場合、ユーザ認証情報が戸別記憶情報として記憶されていない場合にも戸別扉の解錠を行うことができる。
（１０）上記実施形態では、戸別認証処理は共用制御ＣＰＵ５１１に戸別認証信号が入力された際に開始するが、戸別認証処理が開始するタイミングは、共用制御ＣＰＵ５１１に戸別認証信号が入力された際に限定されるものではない。例えば、戸別認証装置１０の電源がオンである間、繰り返し実行されてもよい。このような場合において、Ｓ２１０での認証情報を要求する報知を省略してもよい。
【０１２９】
同様に、共用認証処理は、管理端末ＣＰＵ４１１に共用認証信号が入力された際に開始するが、共用認証処理が開始するタイミングは、管理端末ＣＰＵ４１１に共用認証信号が入力された際に限定されるものではない。例えば管理端末４０の電源がオンである間、繰り返し実行されてもよい。このような場合において、Ｓ５１０での認証情報を要求する旨の報知を省略してもよい。
【０１３０】
（１１）上記実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、上記実施形態の構成の一部を省略してもよい。また、上記実施形態の構成の少なくとも一部を、他の上記実施形態の構成に対して付加又は置換してもよい。なお、特許請求の範囲に記載した文言から特定される技術思想に含まれるあらゆる態様が本開示の実施形態である。
【０１３１】
（１２）上述した認証システムの他、当該認証システムを構成要素とするシステム、当該認証システムとしてコンピュータを機能させるためのプログラム、このプログラムを記憶した半導体メモリ等の非遷移的実態的記憶媒体、認証方法など、種々の形態で本開示を実現することもできる。
【符号の説明】
【０１３２】
１…認証システム、１０…戸別認証装置、１１…戸別制御部、１２…戸別記憶部、１３…戸別読取部、１４…戸別アクチュエータ、１５…戸別入力部、１６…戸別スピーカ、１７…戸別要求部、１８…戸別通信モジュール、１９…戸別オフタイマ、２０…居住端末、２１…居住制御部、２２…居住記憶部、２３…居住入力部、２４…居住通信部、３０…クラウドサーバ、３１…サーバ通信モジュール、３２…サーバ記憶部、４０…管理端末、４１…管理制御部、４２…管理記憶部、４３…管理入力部、４４…管理通信部、５０…共用認証装置、５１…共用制御部、５２…共用記憶部、５３…共用読取部、５４…共用アクチュエータ、５５…共用入力部、５６…共用スピーカ、５７…共用要求部、５８…共用通信モジュール、５９…共用オフタイマ、６０…ユーザカード、７０…マスタカード、８０…通信端末。
【図１】
2019157391.tif 000003
【図２】
2019157391.tif 000004
【図３】
2019157391.tif 000005
【図４】
2019157391.tif 000006
【図５】
2019157391.tif 000007
【図６】
2019157391.tif 000008
【図７】
2019157391.tif 000009
【図８】
2019157391.tif 000010
【図９】
2019157391.tif 000011
【図１０】
2019157391.tif 000012
【図１１】
2019157391.tif 000013
【図１２】
2019157391.tif 000014
【図１３】
2019157391.tif 000015
【図１４】
2019157391.tif 000016